(57)【特許請求の範囲】
【請求項１】
基体の正面側に扉体が設けられ、前記基体および前記扉体の幅方向一端側を軸とし、前記基体および前記扉体の幅方向他端側を自由端として前記扉体が前記基体に対して開閉可能な遊技機であって、
前記基体の幅方向他端側に設けられた錠前と、
前記錠前に挿入された鍵の操作に連動する連動部と、
前記連動部に連係され、当該連動部の動作に伴って、前記基体の幅方向一端側に位置する第１の位置と当該第１の位置よりも前記幅方向他端側に位置する第２の位置との間をスライドするスライド部材と、
前記スライド部材に設けられた係止部と、
前記基体に設けられ、前記基体に対して閉じられた状態にある前記扉体の背面に対向するとともに、前記スライド部材よりも前記扉体側に位置する対向部と、
前記扉体の背面に設けられ、当該扉体が前記基体に対して閉じられたとき、前記係止部の移動軌跡上に進入する被係止部と、を備え、
前記被係止部が前記係止部の移動軌跡上に進入した状態において、前記係止部が前記第１の位置および前記第２の位置のいずれか一方にあるとき、前記被係止部が前記係止部に係止されて前記基体に対する前記扉体の開方向の移動が規制され、前記係止部が前記第１の位置および前記第２の位置のいずれか他方にあるとき、前記被係止部と前記係止部との係止関係が断たれて前記基体に対する前記扉体の開方向の移動が可能となり、
前記扉体が前記基体に対して閉じられた状態にあるとき、前記被係止部の開方向に、前記係止部と前記対向部とが積層された状態で位置していることを特徴とする遊技機。
【請求項２】
前記基体の正面に固定され、前記スライド部材をスライド可能に保持するベース体をさらに備え、
前記ベース体は、
前記基体の幅方向に延在するとともに前記スライド部材に対して鉛直方向に対面する延在部と、
前記延在部に連接された前記対向部と、
前記対向部に設けられ、前記被係止部が前記スライド部材の前記係止部に係止されているとき、前記係止部に対して前記扉体側から接触する接触部と、を有することを特徴とする請求項１記載の遊技機。
【請求項３】
前記ベース体の対向部には、前記扉体の開閉に伴って前記被係止部が挿通される挿通孔が設けられ、
前記スライド部材には、前記ベース体側から前記扉体側に前記挿通孔を貫通する把持部が設けられていることを特徴とする請求項２記載の遊技機。
【請求項４】
前記スライド部材を前記第２の位置に付勢する付勢部材を備え、
前記連動部は、
前記錠前に挿入された鍵の操作に伴って、前記付勢部材の付勢力に抗して前記スライド部材を前記第２の位置から前記第１の位置までスライドさせ、
前記係止部は、
前記第２の位置にあるとき前記被係止部に係止され、前記第１の位置にあるとき前記被係止部との係止関係が断たれることを特徴とする請求項１〜３のいずれかに記載の遊技機。
【請求項５】
前記扉体の正面には遊技球が貯留される貯留部が設けられ、
前記被係止部は前記貯留部の背面に配置されていることを特徴とする請求項１〜４のいずれかに記載の遊技機。
【発明の詳細な説明】
【技術分野】
【０００１】
本発明は、扉体が基体に対して開閉可能に設けられた遊技機に関する。
【背景技術】
【０００２】
一般的に、遊技機は、外枠の幅方向一端部にヒンジ機構が設けられ、このヒンジ機構を介して、払い出された遊技球が貯留される貯留部（受け皿）やガラス板等が保持される前枠や、遊技盤が保持される中枠が開閉自在に軸支されている。そして、外枠の幅方向他端部には錠前が設けられ、この錠前に鍵を挿入して施錠操作することにより、外枠に対して前枠や中枠が施錠され、当該前枠や中枠の開放が規制される。
【０００３】
上記の遊技機においては、前枠をこじ開けて各枠の間に形成される隙間を大きくし、こうして形成された隙間等から針金を侵入させて不正行為（所謂「針金ゴト」）が行われるおそれがある。このとき、前枠に設けられる貯留部は、遊技球を貯留するという特性上、遊技機の正面側に突出する凹凸形状をなしており、不正を行う者は、貯留部を把持して前枠をこじ開けるという実態がある。
【０００４】
そこで、特許文献１に示される遊技機においては、前枠や中枠の自由端側に設けられる錠前とは別に、前枠のうち貯留部の背面に設けられた第１係合部材と、中枠に設けられ、前枠を中枠に対して閉じたときに第１係合部材に係合する第２係合部材と、によって構成されるロック機構を備え、このロック機構によって、前枠のこじ開けに対する強度を向上するようにしている。
【０００５】
また、前枠を外枠に対して開く際には、錠前に鍵を挿入して解錠操作が行われるが、上記の遊技機においては、解錠操作に連動して回転方向に揺動する揺動レバーが設けられており、この揺動レバーの揺動によって、ロック機構の両係合部材の係合が解除されるようにしている。これにより、通常の遊技機と同様に、錠前に対する解錠操作を行うだけで、ロック機構における両係合部材の係合関係を解除することが可能となり、ロック機構を設けたことで操作性が低下しないようにしている。
【先行技術文献】
【特許文献】
【０００６】
【特許文献１】特開２０１１−１６０８３２号公報
【発明の概要】
【発明が解決しようとする課題】
【０００７】
上記の遊技機においては、錠前の解錠操作に連動して両係合部材を係合したり、あるいは、その係合関係を解除したりするために、揺動レバーが回転方向に揺動する。このように揺動レバーが回転方向に揺動すると、揺動レバーの移動範囲が広くなってしまうことから、他の部品との干渉を防ぐべく、各部品の配置等の設計作業が煩雑化するおそれがある。
【０００８】
また、上記の遊技機においては、揺動レバーが回転方向に揺動することから、遊技機の鉛直方向に対する強度に不安があり、さらなる強度の向上が望まれている。さらには、遊技機には多数の電飾部品が設けられるため、揺動レバーは高温下に置かれることとなり、こうした温度変化によって揺動レバーに反りが生じるおそれがある。揺動レバーの回転方向への揺動によって両係合部材が係合する構成においては、こうした揺動レバーの反りが係合精度に大きく影響してしまうという実態があり、さらなる改良が望まれている。
【０００９】
本発明の目的は、こじ開けに対する高い強度を維持しつつ、さらなる省スペース化による設計作業の簡素化と、温度変化による係合精度の影響を低減可能な遊技機を提供することである。
【課題を解決するための手段】
【００１０】
上記課題を解決するために、本発明の遊技機は、基体の正面側に扉体が設けられ、前記基体および前記扉体の幅方向一端側を軸とし、前記基体および前記扉体の幅方向他端側を自由端として前記扉体が前記基体に対して開閉可能な遊技機であって、前記基体の幅方向他端側に設けられた錠前と、前記錠前に挿入された鍵の操作に連動する連動部と、前記連動部に連係され、当該連動部の動作に伴って、前記基体の幅方向一端側に位置する第１の位置と当該第１の位置よりも前記幅方向他端側に位置する第２の位置との間をスライドするスライド部材と、前記スライド部材に設けられた係止部と、前記基体に設けられ、前記基体に対して閉じられた状態にある前記扉体の背面に対向するとともに、前記スライド部材よりも前記扉体側に位置する対向部と、前記扉体の背面に設けられ、当該扉体が前記基体に対して閉じられたとき、前記係止部の移動軌跡上に進入する被係止部と、を備え、前記被係止部が前記係止部の移動軌跡上に進入した状態において、前記係止部が前記第１の位置および前記第２の位置のいずれか一方にあるとき、前記被係止部が前記係止部に係止されて前記基体に対する前記扉体の開方向の移動が規制され、前記係止部が前記第１の位置および前記第２の位置のいずれか他方にあるとき、前記被係止部と前記係止部との係止関係が断たれて前記基体に対する前記扉体の開方向の移動が可能となり、前記扉体が前記基体に対して閉じられた状態にあるとき、前記被係止部の開方向に、前記係止部と前記対向部とが積層された状態で位置していることを特徴とする。
【００１１】
また、前記基体の正面に固定され、前記スライド部材をスライド可能に保持するベース体をさらに備え、前記ベース体は、前記基体の幅方向に延在するとともに前記スライド部材に対して鉛直方向に対面する延在部と、前記延在部に連接された前記対向部と、前記対向部に設けられ、前記被係止部が前記スライド部材の前記係止部に係止されているとき、前記係止部に対して前記扉体側から接触する接触部と、を有するとよい。
【００１２】
また、前記ベース体の対向部には、前記扉体の開閉に伴って前記被係止部が挿通される挿通孔が設けられ、前記スライド部材には、前記ベース体側から前記扉体側に前記挿通孔を貫通する把持部が設けられているとよい。
【００１３】
また、前記スライド部材を前記第２の位置に付勢する付勢部材を備え、前記連動部は、前記錠前に挿入された鍵の操作に伴って、前記付勢部材の付勢力に抗して前記スライド部材を前記第２の位置から前記第１の位置までスライドさせ、前記係止部は、前記第２の位置にあるとき前記被係止部に係止され、前記第１の位置にあるとき前記被係止部との係止関係が断たれるとよい。
【００１４】
また、前記扉体の正面には遊技球が貯留される貯留部が設けられ、前記被係止部は前記貯留部の背面に配置されているとよい。
【図面の簡単な説明】
【００１５】
【図１】（ａ）は本実施形態における遊技機本体の開放状態の斜視図であり、（ｂ）は、図１（ａ）におけるＩ（ｂ）部分の拡大図であり、（ｃ）は、図１（ａ）におけるＩ（ｃ）部分の拡大図である。
【図２】（ａ）は本実施形態における遊技機本体の閉鎖状態の正面図であり、（ｂ）は、図２（ａ）におけるＩＩ（ｂ）部分の拡大図である。
【図３】係合部材の分解斜視図である。
【図４】係合状態にある係合部材の組立図である。
【図５】非係合状態にある係合部材の組立図である。
【図６】施錠状態にある鉤部および係合部材の平面図である。
【図７】解錠状態にある鉤部および係合部材の平面図である。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
図１（ａ）は、本実施形態における遊技機本体１の開放状態の斜視図であり、図１（ｂ）は、図１（ａ）におけるＩ（ｂ）部分の拡大図、図１（ｃ）は、図１（ａ）におけるＩ（ｃ）部分の拡大図である。また、図２（ａ）は、本実施形態における遊技機本体１の閉鎖状態の正面図であり、図２（ｂ）は、図２（ａ）におけるＩＩ（ｂ）部分の拡大図である。ただし、図２においては、後述する前扉５が取り外された状態を示している。図１に示すように、遊技機本体１は、略矩形状に組まれた四辺によって囲繞空間が形成される外枠２と、この外枠２に開閉自在に軸支され、不図示の遊技盤が保持される中扉３と、この中扉３と同様に、外枠２に開閉自在に軸支され、ガラス製または樹脂製の透過板４が保持される前扉５と、を備えている。
【００１８】
本実施形態では、外枠２、中扉３および前扉５の幅方向一端部（遊技機本体１の正面視で左端部）にヒンジ機構が設けられていることから、外枠２、中扉３および前扉５の幅方向他端部（遊技機本体１の正面視で右端部）が自由端となる。そして、中扉３および前扉５を外枠２に対して閉じると、外枠２、中扉３および前扉５が平行になり、遊技盤と透過板４とが所定の間隔を維持して平行に対面することとなる。以下では、中扉３および前扉５が外枠２に軸支される幅方向一端部側をＬとし、中扉３および前扉５の自由端側となる幅方向他端部側をＲとして説明する。
【００１９】
また、中扉３および前扉５は、外枠２に対して独立して開閉することが可能となっており、中扉３は、外枠２および前扉５よりも周長が小さく、外枠２に対して中扉３および前扉５が閉じられた状態では、中扉３が外枠２および前扉５内に収容され、当該中扉３を外部から視認することができなくなっている。
【００２０】
そして、図１および図２に示すように、中扉３の自由端（幅方向他端部）側には、遊技機本体１の正面に鍵穴６ａを開口させた錠前６が設けられており、中扉３および前扉５が外枠２に対して閉じられた状態で、鍵穴６ａに鍵を挿入して解錠操作することで、中扉３および前扉５が外枠２に対して解錠されることとなる。なお、詳細な説明は省略するが、鍵穴６ａに挿入した鍵を反時計回り方向に回転させると、前扉５が外枠２および中扉３に対して開放され、中扉３は外枠２に対して閉じられた状態に維持される。一方、鍵穴６ａに挿入した鍵を時計回り方向に回転させると、中扉３および前扉５が外枠２に対して開放される。
【００２１】
本実施形態では、上記の２つの鍵の操作のうち、鍵穴６ａに挿入した鍵を反時計回り方向に回転させ、前扉５を外枠２および中扉３に対して開放する操作を解錠操作とし、鍵穴６ａに挿入した鍵を時計回り方向に回転させる操作については説明を省略する。
【００２２】
また、本実施形態においては、錠前６による中扉３および前扉５の施錠機構とは別に、前扉５のこじ開けに対する強度を向上するためのロック機構が設けられている。このロック機構は、前扉５に設けられた鉤部１０と、中扉３の正面に設けられた係合部材２０とによって構成されている。
【００２３】
図１（ｂ）に示すように、鉤部１０は、前扉５の背面から垂直に突出する本体部１０ａと、この本体部１０ａから前扉５の幅方向に直角に屈曲する被係止部１０ｂと、を備えている。また、図１（ｃ）および図２（ｂ）に示すように、係合部材２０は、その長手方向を中扉３の幅方向に沿わせて設けられており、前扉５を中扉３に対して閉じたときに、鉤部１０に係合して前扉５の開動作を規制するものである。なお、前扉５の正面には遊技球が貯留される貯留部が設けられており、鉤部１０（被係止部１０ｂ）は貯留部の背面に配置されている。これは、貯留部が、遊技球を貯留するという特性上、遊技機本体１の正面側に突出する凹凸形状をなしており、所謂「針金ゴト」を行う者は、貯留部を把持して前扉５をこじ開けるという実態があり、特に、貯留部近傍のこじ開けに対する強度を向上するためである。
【００２４】
図３は係合部材２０の分解斜視図、図４は係合状態にある係合部材２０の組立図、図５は、非係合状態にある係合部材２０の平面図である。なお、説明の都合上、図４および図５では、係合部材２０とともに鉤部１０および錠前６を示している。これらの図に示すように、係合部材２０は、中扉３の正面に固定されるベース体３０と、ベース体３０に保持され、中扉３の幅方向にスライド可能なスライド部材４０と、を備えている。ベース体３０は、中扉３の幅方向に延在するとともにスライド部材４０に対して鉛直方向（鉛直上方）に対面する延在部３０ａと、この延在部３０ａに連接され、当該延在部３０ａの正面側の端部から鉛直下方に向けて直角に屈曲形成されるとともに、中扉３に対して閉じられた状態にある前扉５の背面に対向する対向部３０ｂと、を有している。この対向部３０ｂには、前扉５の開閉に伴って鉤部１０が挿通される挿通孔３１が設けられている。
【００２５】
スライド部材４０は、金属製の薄板部材からなる本体４１によって構成されており、この本体４１には、鉛直方向に貫通する一対のガイド孔４２が、中扉３の幅方向に離間して設けられている。そして、両ガイド孔４２を挿通するガイドピンＰが延在部３０ａに固定されており、これによって、スライド部材４０は、中扉３の幅方向にスライド可能にベース体３０に保持されることとなる。このとき、ベース体３０には、鉛直下方に突出する掛止片３２が設けられ、スライド部材４０には、ベース体３０に設けられた掛止片３２に対して中扉３の幅方向（Ｌ方向）に対向する掛止片４３が設けられている。そして、引張コイルバネからなる付勢部材５０の一端部が掛止片３２に掛止され、当該付勢部材５０の他端部が掛止片４３に掛止されている。これにより、スライド部材４０には、常時、Ｒ方向に付勢力が作用することとなる。
【００２６】
また、スライド部材４０は、ベース体３０に保持された状態で、対向部３０ｂの背面、より詳細には、対向部３０ｂにおける挿通孔３１の周囲に位置する接触部３３（図３〜図５において破線で示す）に面接触状態で対向する係止部４４を備えている。この係止部４４は、スライド部材４０が付勢部材５０の付勢力に抗してＬ側（中扉３の幅方向一端部側）に移動して第１の位置にあるとき、Ｒ側の端部が挿通孔３１に対向するとともに、当該係止部４４が、ベース体３０の正面側に挿通孔３１を介して露出する。一方、スライド部材４０が付勢部材５０の付勢力によってＲ側（中扉３の幅方向他端部側）に移動し、第１の位置よりも中扉３の幅方向他端部側となる第２の位置にあるとき、係止部４４は、第１の位置にあるときに比べて、ベース体３０の正面側に挿通孔３１を介して露出する面積が大きくなる。
【００２７】
さらに、スライド部材４０は、図４および図５に示すように、本体４１から中扉３の正面側に突出する把持部４５を備えており、スライド部材４０がベース体３０に保持された状態では、把持部４５を、ベース体３０の挿通孔３１から中扉３の正面側（前扉５側）に突出させている。
【００２８】
また、スライド部材４０は、本体４１のＲ側の端部を鉛直上方に向けて直角に屈曲させた被連動部４６を備えている。この被連動部４６は、錠前６の鍵穴６ａに挿入された鍵の操作に連動する連動部７に連係されている。連動部７は、鍵穴６ａに挿入された鍵を図中ｘ方向（反時計回り方向）に回転させる解錠操作に連動して図中ｘ方向に回転するが、連動部７がｘ方向に回転すると、この連動部７のｘ方向の回転に伴って、被連動部４６が付勢部材５０の付勢力に抗してＬ方向にスライドすることとなる。
【００２９】
次に、図６および図７を用いて、鉤部１０および係合部材２０によって構成されるロック機構の作用について説明する。図６は、施錠状態にある鉤部１０および係合部材２０の平面図であり、図７は、解錠状態にある鉤部１０および係合部材２０の平面図である。特に、図６（ａ）および図７（ａ）は、鉤部１０および係合部材２０の上面図を示し、図６（ｂ）および図７（ｂ）は、鉤部１０および係合部材２０の正面図を示し、図６（ｃ）および図７（ｃ）は、鉤部１０および係合部材２０の底面図を示している。
【００３０】
図６に示すように、中扉３および前扉５が外枠２に対して閉じられており、また、中扉３および前扉５の自由端側が錠前６によって施錠された状態では、鉤部１０の先端が挿通孔３１を挿通して、ベース体３０の対向部３０ｂよりも中扉３側に位置している。このとき、スライド部材４０は、係止部４４が対向部３０ｂの挿通孔３１に対向して、図６（ｂ）に示すように、ベース体３０の正面側に露出した第２の位置に保持されており、この状態では、図６（ｃ）に示すように、被係止部１０ｂが係止部４４に係止されている。これにより、前扉５は、錠前６によって自由端側が施錠されていることに加えて、被係止部１０ｂと係止部４４との係止関係によっても、外枠２や中扉３に対する開方向の移動が規制されることとなり、前扉５のこじ開けに対する強度が確保されることとなる。
【００３１】
また、上記のように、前扉５が外枠２や中扉３に対して閉じられた状態では、鉤部１０の被係止部１０ｂと、対向部３０ｂの接触部３３との間に係止部４４が挟持されている。換言すれば、被係止部１０ｂの開方向には、スライド部材４０の係止部４４と、ベース体３０の対向部３０ｂ（接触部３３）とが、積層された状態で位置している。したがって、前扉５をこじ開けようとした場合には、その力をスライド部材４０の係止部４４と、ベース体３０の対向部３０ｂ（接触部３３）とで受けることとなり、前扉５の開方向に対する高い強度が実現されている。
【００３２】
この状態から前扉５を外枠２および中扉３に対して開放すべく、鍵穴６ａに鍵を挿入して錠前６を解錠操作すると、前扉５の自由端側が開放されるとともに、当該解錠操作に連動して、連動部７が図６（ｂ）においてｘ方向に回転する。このように、連動部７がｘ方向に回転すると、連動部７によってスライド部材４０の被連動部４６が押され、スライド部材４０が、付勢部材５０の付勢力に抗して上記の第２の位置から第１の位置へとＬ方向にスライドする。スライド部材４０が第１の位置へとＬ方向にスライドすると、スライド部材４０の係止部４４が一体となってＬ方向に移動し、当該係止部４４が、鉤部１０より詳細には被係止部１０ｂの移動軌跡上から退避する。したがって、この状態で前扉５を外枠２および中扉３に対して開けば、図７に示すように、鉤部１０がベース体３０の挿通孔３１から退避して、前扉５が外枠２および中扉３に対して開放されることとなる。
【００３３】
なお、上記のように前扉５を開放した後、錠前６に対する解錠操作（ｘ方向の回転操作）を終了すると、スライド部材４０は、付勢部材５０の付勢力によって再び第１の位置から第２の位置へとＲ方向にスライドする。そして、開放された前扉５を外枠２および中扉３に対して閉じると、鉤部１０における本体部１０ａの先端に設けられたテーパ部１０ｃが、スライド部材４０の係止部４４に接触して当該スライド部材４０をＬ方向に徐々にスライドさせながら、鉤部１０（被係止部１０ｂ）がベース体３０の挿通孔３１に挿通され、係止部４４の移動軌跡上に進入する。そして、鉤部１０の被係止部１０ｂが係止部４４よりも中扉３側に進入すると、テーパ部１０ｃと係止部４４との接触が断たれるとともに、付勢部材５０の付勢力によって、スライド部材４０がＲ方向にスライドし、図６に示すように、再び、スライド部材４０の係止部４４と、鉤部１０の被係止部１０ｂとが係止関係を維持することとなる。
【００３４】
以上のように、本実施形態の遊技機本体１によれば、前扉５のこじ開けに対する強度を向上するための係止関係が、スライド部材４０を幅方向に僅かにスライドさせるだけで実現される。このように、係止関係を維持したり、あるいは、係止関係を解除したりするための部材の移動範囲が小さくなることで、他の部品との干渉のおそれが小さく、各部品の配置等の設計作業を簡素化することができる。
【００３５】
また、上記の遊技機本体１によれば、鉛直方向に対して力が作用したとしても、係止部４４と被係止部１０ｂとの間の係合関係に影響が及ぼされることがなく、従来に比して、特に鉛直方向に対する強度を向上することができる。さらには、温度変化によってスライド部材４０に仮に反りが生じたとしても、スライド部材４０の反りが係止部４４と被係止部１０ｂとの係止関係の精度に与える影響はほとんどない。
【００３６】
なお、本実施形態においては、スライド部材４０の把持部４５が挿通孔３１の深さよりも長く形成されており、把持部４５が挿通孔３１を介してベース体３０から前扉５側に貫通している。係合部材２０は、ベース体３０にスライド部材４０がユニット化された状態で中扉３の正面に取り付けられるが、中扉３の組み付け作業時に、既に錠前６が取り付けられている場合には、付勢部材５０の付勢力によってＲ側に移動するスライド部材４０が錠前６に干渉し、組み付け作業が煩雑化するおそれがある（図６参照）。そこで、本実施形態においては、把持部４５を、挿通孔３１を介して前扉５側に突出させ、把持部４５を把持してスライド部材４０をＬ方向に容易にスライドさせることができるようにしている。これにより、把持部４５を把持してスライド部材４０をＬ方向にスライドさせた状態で係合部材２０を中扉３に組み付ければ、錠前６にスライド部材４０が干渉することなく、組み付け作業を簡素化することが可能となる。
【００３７】
なお、上記実施形態においては、係止部４４が第１の位置にあるとき、被係止部１０ｂが係止部４４に係止されて外枠２および中扉３に対する前扉５の開方向の移動が規制され、係止部４４が第２の位置にあるとき、被係止部１０ｂと係止部４４との係止関係が断たれて外枠２および中扉３に対する前扉５の開方向の移動が可能となる場合について説明した。しかしながら、上記とは逆に、係止部４４が第２の位置にあるとき、被係止部１０ｂが係止部４４に係止されて外枠２および中扉３に対する前扉５の開方向の移動が規制され、係止部４４が第１の位置にあるとき、被係止部１０ｂと係止部４４との係止関係が断たれて外枠２および中扉３に対する前扉５の開方向の移動が可能となるようにしてもよい。いずれにしても、スライド部材４０が中扉３や前扉５の幅方向にスライドすることを前提とし、係止部４４が第１の位置および第２の位置のいずれか一方にあるとき、被係止部１０ｂが係止部４４に係止されて外枠２および中扉３に対する前扉５の開方向の移動が規制され、係止部４４が第１の位置および第２の位置のいずれか他方にあるとき、被係止部１０ｂと係止部４４との係止関係が断たれて外枠２および中扉３に対する前扉５の開方向の移動が可能となる構成であればよい。
【００３８】
また、上記実施形態では、中扉３に係合部材２０が設けられ、前扉５に鉤部１０が設けられる場合について説明したが、係合部材２０や鉤部１０の配置はこれに限らず、例えば、係合部材２０を外枠２の正面側に設け、鉤部１０を中扉３の背面側に設けてもよい。いずれにしても、相対的に開閉可能な基体と扉体とを備え、基体の正面側に扉体が設けられ、基体および扉体の幅方向一端側を軸とし、基体および扉体の幅方向他端側を自由端として扉体が基体に対して開閉可能な構成であればよい。
【００３９】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【符号の説明】
【００４０】
１     …遊技機本体
３     …中扉
５     …前扉
６     …錠前
７     …連動部
１０ｂ  …被係止部
３０   …ベース体
３０ａ  …延在部
３０ｂ  …対向部
３１   …挿通孔
３３   …接触部
４０   …スライド部材
４４   …係止部
４５   …把持部
４６   …被連動部
５０   …付勢部材
【図１】
0005877073.tif 000002
【図２】
0005877073.tif 000003
【図３】
0005877073.tif 000004
【図４】
0005877073.tif 000005
【図５】
0005877073.tif 000006
【図６】
0005877073.tif 000007
【図７】
0005877073.tif 000008